(57)【要約】【課題】シリンジの１回使用の後、針を引き込み、針が刺すことを防止する。【解決手段】１回使用の引き込み式シリンジは、ハンドル部とハンドル部の前の針保持部を具えるプランジャを有し、ハンドル部はプランジャとして、またハンドルが前の注入完了位置を越えて前進したときに引き込み機構を始動するのに役立つ。シリンジバレル内のポジティブなロック構造は、ハンドルが後方に１回引き出されて可変流体室を充填すること、及びハンドルが１回前方に移動して可変流体室を空にすることを許すが、その後、針保持筒及び／又はハンドルの後方移動を規制して、ユーザが針を引き込むために引き込み装置を始動することを怠ったとしても、シリンジが再使用できないことを確実にする。一実施例に於いては、ポジティブなロック構造は、シリンジバレル内のストッパであり、前進し、２つの部分に分離可能なハンドルを有するときに、針保持筒の直径方向に膨らんだ箇所がロック機構を通過することを許す。ハンドル部は１回使用後は、単に分離し、バレルによって保護されている針保持筒又は針を引き出すことなく、シリンジから取り外されるだけである。第２実施例に於いては、針保持筒の背後のハンドルは、複数の階段状の鋸歯及びハンドル及びバレルの両方に関して移動可能であるクリップを有する。シリンジの１回使用の後、クリップ上の尖点はバレルの内面を堀り込んで、後方移動を阻止する。第３実施例に於いては、ポジティブなロック構造は、バネポイントとともにバレルの拡大した後部開口内に固定されたクリップであり、バネポイントはスライディングカラーによってハンドル上の複数の階段状の鋸歯から保護され、スライディングカラーは第２実施例と同様にハンドルに対して一方向にのみ移動できる。１回使用後に、スライディングカラーはハンドルとともに前へスライドし、ハンドルが十分に押されて注入されることを許す。１回の注入の後に、ハンドルを引き出そうと如何に試みても、ハンドルの鋸歯内に埋まる尖点によって阻止される。ハンドルは２回目は引き出されないから、シリンジは再充填されない。ここで開示した１回使用の特徴は、引き込み式でないシリンジにも適用できて、再使用を阻止する。
2005524513.tif 000002
【特許請求の範囲】
【請求項１】
ハンドルによって操作可能であり、シリンジバレルからの取り外しはできない針保持筒を具えた１回使用の引き込み可能なシリンジであって、
前端及び開口した後端を有する長く延びた中空のシリンジバレルと、
シリンジバレルの前端に配置された引き込み構造中に、引き込み可能に取り付けられ、引き込む為に後方に付勢された引き込み可能な針と、
針保持筒に取り付けられたハンドルを具えた可動部分であり、該可動部分はバレルの後部開口から延出するハンドルによってシリンジバレル内を密に且つ摺動可能に取り付けられており、針保持筒は引き込まれた針を受け入れる開き可能な封止開口を前に有しており、
針保持筒内への針の引き込みは、注入完了後に、ハンドルの動きに対応して引き込み構造に抗して針保持筒が前進することによって開始され、
シリンジバレル内に位置し、針保持筒の後方への移動を規制し、１回使用後にシリンジバレルから取り外されることを防ぐポジティブなロック構造を具え、
それによって、使用後の引き込まれた針は、シリンジバレル内の針保持筒に安全に収納され、ハンドルの操作又は引き出しによっては容易に取り外すことができない１回使用引込み式シリンジ。
【請求項２】
針保持筒はハンドルに取り付けられている、請求項１に記載の１回使用引込み式シリンジ。
【請求項３】
針保持筒はハンドルに取り外し可能に取り付けられている、請求項１に記載の１回使用引込み式シリンジ。
【請求項４】
ポジティブなロック構造は、バレルの内側に位置して可動部分に係合する構造を具え、該構造は、可動部分が最大限度に前方移動するまでは、後方一方向及び前方一方向に移動するのに影響を与えないが、その後の針保持筒の後方への動きは制限されて、針保持筒をシリンジバレル内に保つのに適している、請求項１に記載の１回使用引込み式シリンジ。
【請求項５】
バレル内にあって、針保持筒がその後さらに後方へ動くことを制限する構造は、シリンジの使用中はバレルに関して固定位置に配置されている、請求項４に記載の１回使用引込み式シリンジ。
【請求項６】
バレルに対し、固定位置に配置されるバレル内側の構造は、第１ストッパを構成するバレル直径方向のくびれを具え、一方、針保持筒は直径方向に膨らんだ第２ストッパを構成するセクションを具え、ハンドルを押すことにより第２ストッパは第１ストッパを押し通ることができるが、ハンドルを引くことによる後方への移動には抵抗する、請求項５に記載の１回使用引込み式シリンジ。
【請求項７】
ハンドルは針保持筒に取り外し可能に取り付けられ、第２ストッパを後方に押して、第１ストッパを押し通るのに要する力よりも小さな分離力によって針保持筒から分離可能であり、故にハンドルは針保持筒をバレル内側に残したまま分離する、請求項６に記載の１回使用引込み式シリンジ。
【請求項８】
ハンドルは、分離部分を壊すことなく、それらを解放することにより針保持筒から分離可能である、請求項７に記載の１回使用引込み式シリンジ。
【請求項９】
針保持筒は留めを運ぶ前端部を具え、留めは第２ストッパが第１ストッパを通って動く前に、ハンドルを押すことにより第１ストッパを通って前方に押され、留めは可動部分の後方移行量を制限して、シリンジの最大充填量を定める、請求項８に記載の１回使用引込み式シリンジ。
【請求項１０】
バレル内にあって、固定位置に配置されることにより、その後の針保持筒の後方への動きを制限する構造は、バレルの後部開口内側に設けられた構造を含んでいる、請求項５に記載の１回使用引込み式シリンジ。
【請求項１１】
前記構造はハンドルが前方に押されて注入が完了した後に、積極的にハンドルに係合するバネクリップを具え、それによって一旦ハンドルがクリップによって係合すると、ハンドルが更に後方に引き出されることを防止する、請求項５に記載の１回使用引込み式シリンジ。
【請求項１２】
ハンドルは、ハンドルを前に押す親指キャップを含み、プランジャが一杯に押されることにより、針の引き込みが開始するときに、親指キャップはバレル後端の開口に密に受け入れられる、請求項１１に記載の１回使用引込み式シリンジ。
【請求項１３】
針保持筒の背後に延びるハンドルは、長手方向に沿って鋸歯状であり、ハンドル上にスライド部材を有し、該スライド部材はハンドルからバネクリップを分離して、プランジャが後方に引かれることを許して、シリンジを流体で充たし、その後、ハンドルが押圧されると前進して、ハンドルに接したバネクリップを解放する、請求項１１に記載の１回使用引込み式シリンジ。
【請求項１４】
バレル内側にあって、針保持筒が更に後方へ動くことを制限する構造は、固定位置にてバレルの後部開口の内側に取り付けられたバネクリップ及びハンドルに接するスライド部分を具え、スライド部分はハンドルが後方に引かれたときにバネクリップをハンドルから離して保持し、ハンドルがバレル内で前進したときに、ハンドルとともに前進することにより、バネクリップがハンドルに接することを解除する、請求項５に記載の１回使用引込み式シリンジ。
【請求項１５】
バレル内側にあって、針保持筒が更に後方へ動くことを制限する構造は、シリンジの使用中、バレルに対する位置を変える、請求項４に記載の１回使用引込み式シリンジ。
【請求項１６】
前記構造は、ハンドルが前方に押されて注入が完了した後に、積極的にハンドルに係合するバネクリップを具え、それによって一旦ハンドルがクリップによって係合すると、ハンドルが更に後方に引き出されることを防止する、請求項１５に記載の１回使用引込み式シリンジ。
【請求項１７】
ハンドルは、ハンドルを前に押す親指キャップを含み、プランジャが一杯に押されることにより、針の引き込みが開始するときに、親指キャップはバレル後端の開口に密に受け入れられる、請求項１５に記載の１回使用引込み式シリンジ。
【請求項１８】
シリンジバレルを具えた１回使用のシリンジであって、シリンジバレルは、バレルの前端部から延びた流体注入用の針、及びバレルの後部から延びバレル内で制限された往復移動の為に取り付けられた可動ハンドルを有し、可動ハンドルはスライド時にバレルの内面に密接するピストンを有する前端部を具え、ピストンはバレル内に流体を注入する可変流体室を定め、
ハンドルの後端部は、親指の力をハンドルに加える親指キャップと、バレル内にて注入流体で可変流体室を充たすハンドルの最初の後方移動及び流体を注入するハンドルの最初の前方移動の後に、２回目の後方の移動を規制するポジティブなロック構造を有し、
針はバレル前方の引き込み構造内に取り付けられた引き込み可能な針であり、針は引っ込まれていない位置にて延び、引き込み方向に引き込むために付勢され、
ハンドルの前端部は、引き込み構造を作動させて針を引き込む様に構成されており、該前端部は針保持筒及び可変流体室の背後で引き込まれた針を受け入れるピストンを有し、
針保持筒は、前端と直径方向に膨らんだセクションを有し、
ポジティブなロック構造は、針保持筒の膨らんだセクションに当たることにより、バレルの領域内へ針保持筒が後方移動することを規制するように位置したストッパであり、
ハンドルは２つの部分から成るハンドルであって、ハンドルの後端部を引くことにより、針保持筒がストッパを通って引かれようとするときは、前端部から分離する後端部を具え、
使用後に針が引き込まれなくても、再使用されないシリンジ。
【請求項１９】
ストッパはバレル内にて、親指キャップを押すことにより、ハンドルの前端部及び針保持筒がストッパの前方へ移動することを許す構成として形成され、
針保持筒が後方に引かれると、後方に動くときに、ストッパに接し、ハンドルを分離させるのに要する力よりも大きな抵抗力を生じ、それによって針はバレル内に保持され、それによってシリンジの再使用を防ぐ、請求項１８に記載の１回使用引込み式シリンジ。
【請求項２０】
ハンドルは、分離部分を壊すことなく解放することにより針保持筒から分離可能である、請求項１９に記載の１回使用引込み式シリンジ。
【請求項２１】
ハンドルの後端部及び針保持筒は、スナップフィットによって分離可能に接続されている、請求項１９に記載の１回使用引込み式シリンジ。
【請求項２２】
針保持筒は、留めを前端近傍に具え、ハンドルを押すことにより、留めはストッパを通って前方に押しつけられ、留めは、ハンドルが引き戻されて可変流体室が最大サイズとなるときに、ストッパまで戻って当たるように構成されている、請求項１９に記載の１回使用引込み式シリンジ。
【請求項２３】
１回使用後はシリンジバレルから取り外しできない作動ハンドルを有する１回使用の引き込み可能なシリンジに於いて、
前端及び後端開口を有する長く延びた中空のシリンジバレルと、
シリンジバレルの前端に位置する引き込み構造内に引き込み可能に取り付けられ、後方に引き込むように付勢された引き込み可能な針と、
シリンジバレル内の可動ハンドルであって、スライド時にバレルの内面に密接するピストンを有する前端部と、後端にハンドルへの親指の力が加わるキャップを有する後端部と、ハンドルの前端部に引き込まれた針を受け入れる針保持筒を具え、
シリンジバレル内に位置して、ハンドルの後方移動を規制し、１回使用後はシリンジバレルから取り外されることを防ぐポジティブなロック構造とを具え、
それによって使用後の引き込まれた針は、シリンジバレル内の針保持筒に安全に収納され、プランジャの操作又は引き出しによっては、取り外せないシリンジ。
【請求項２４】
ハンドルは、ポジティブなロック構造を具え、該ロック構造はハンドル後部近傍の第１位置から、ハンドル前部により近い第２位置までの一方向のみ移動可能であり、ロック構造は、第１位置の前方に移動した後は、積極的にシリンジバレルに係合し、針保持筒の後方への移動を規制する様に構成されている、請求項２３に記載の１回使用引込み式シリンジ。
【請求項２５】
針保持筒は、ロック構造の第２位置の直ぐ前に位置する、請求項２４に記載の１回使用引込み式シリンジ。
【請求項２６】
針は、注入のためにプランジャが十分に押された後に、プランジャ後部にて、キャップに親指圧力が及ぼされることによって引き込まれる、請求項２５に記載の１回使用引込み式シリンジ。
【請求項２７】
ハンドルの後端部は、複数の階段状の鋸歯を有し、ポジティブなロック構造は、階段状の鋸歯に対し内向きに傾いたタブを有するクリップを具え、階段状の鋸歯は、クリップの後方移動を規制する一方、クリップの前進を許し、クリップはシリンジバレルに係合してハンドルの引き出しを防ぐ少なくとも１つの外向きに傾いた尖点を有する、請求項２５に記載の１回使用引込み式シリンジ。
【請求項２８】
クリップはハンドルの後端部上にて、階段状の鋸歯の全部ではなく一部を囲む、請求項２７に記載の１回使用引込み式シリンジ。
【請求項２９】
シリンジバレル内に位置してハンドルの後方移動を規制するポジティブなロック構造は、バレルに対して固定位置に取り付けられた構造を構成する、請求項２３に記載の１回使用引込み式シリンジ。
【請求項３０】
前記構造は、バレルの後部開口の内側に位置する、請求項２９に記載の１回使用引込み式シリンジ。
【請求項３１】
ハンドルは、ハンドルを前に押すための親指キャップを具え、プランジャを十分に押圧することにより針の引き込みを開始したときに、親指キャップはバレルの後部開口に密に受け入れられる、請求項３０に記載の１回使用引込み式シリンジ。
【請求項３２】
バレルに対し固定位置にてバレルの後部開口内側に取り付けられた前記構造は、前に傾いた１又は２以上の尖点を有するバネクリップであり、バレル内に流体を引き入れるためにハンドルを最初に引き込み、バレルに対する最初の前位置からハンドルが後方に引かれることを許す間は、尖点は、ハンドルに接することがないようにハンドル近傍のスライディングカラーによって保護されて、プランジャが押圧されて注入する際に、スライディングカラーは、バネクリップとの接触から外れて前進し、直ぐにバネクリップはハンドルに係合して、引き出しを阻止する、請求項３０に記載の１回使用引込み式シリンジ。
【請求項３３】
ハンドルの後端部には、複数の階段状の鋸歯があり、該鋸歯の上にハンドルによって運ばれたスライディングカラーが位置し、スライディングカラーは、プランジャハンドルがカラーに対して後方に動くことを許す傾斜面を有し、スライディングカラーは、傾斜面がハンドルの鋸歯の１つに係合することにより、ハンドルとともに前進する、請求項３２に記載の１回使用引込み式シリンジ。
【請求項３４】
前端部及び開口した後端を有する長く延びた中空のシリンジバレルと、
シリンジバレルの前端部に取り付けられた針と、
バレル内で往復移動用に取り付けられた２部分からなる可動ハンドルであって、前に頭部を有し、該頭部はスライド時にバレルの内面に接してシールされるピストンを有し、ハンドル部は頭部に取り外し可能に接続され、
バレル内に取り付けられたロック機構であって、頭部及びハンドル部が後部開口に挿入され、力がハンドル部に前向きに加えられたときに、頭部がロック機構を通ることを許し、
ロック機構を前方に通った後に、ハンドル部が後方に引かれたときは、ハンドル部は頭部から分離され、該分離は、ロックの抵抗の故に、分離部分を壊すことなく、ハンドル部を頭部から取り外すことにより起こる１回使用のシリンジ。
【請求項３５】
針は、バレルの前端部に引き込み可能に取り付けられた引き込み可能な針である、請求項３４に記載の１回使用シリンジ。
【発明の詳細な説明】
【技術分野】
【０００１】
本発明は、流体用の医療機器に関するものであって、特に注入がされた後は再使用できない引込み可能な針を具えたシリンジに関する。
【背景技術】
【０００２】
ＡＩＤＳ及び他の感染性疾病の脅威、及び健康管理供給者が感染患者へ針を使用することによって被る偶発的な針を刺す危険が避けられないことにより、この数年、シリンジの技術は急速に進化した。延びた針を有する使用済みシリンジは、医療関係者、衛生従業員、及び廃棄関連業者に危険を与える。従来技術は引き込み式の針を具えた多数のシリンジ及び他の医療機器を開示しており、普通はバレル内、又はシリンジバレル内の針受け室内に引き込まれる。最新の引き込みシリンジは、我々の米国特許5,385,551号、5,578,011号、5,632,733号、6,015,438号、6,090,077号であり、これら全てを引用を持って本願の一部とする。前述の特許に開示されたシリンジは、注入が終了しようとしている時に、プランジャハンドル上を引き続いて押すことにより、自動的に引き込まれるものであり、健康管理従事者が汚染された針に晒されることがないように、片手によるシリンジの操作及び引き込みを提案している。
これらの機器のプランジャの自動的な引き込みは、針が患者から外される前に生じる。これらの引き込み可能なシリンジは、高度の信頼性と動作の再現性を具え、低コストで大量生産に適している。それらは、多数の異なるサイズのバレル、異なるサイズの針、及び異なる用途に於いて、部品の自動生産及び自動組立に適している。
【０００３】
上記のシリンジ及び他の引き込み可能なシリンジは、針を刺す問題を解消し、又は十分に少なくしているが、如何なる状況でも再使用できない１回使用シリンジの必要性を表明している者もいる。全てでなくとも大部分の引き込み可能なシリンジは、注入がされた後に、針の引き込みを開始する動作を使用者に要求する。これは、使用者が１回使用後に針の引き込みを怠ると、引き込み可能なシリンジが再使用可能であることを残している。引き込み不可能なシリンジの場合、シリンジの最初の使用後はプランジャハンドルを機械的にロックする種々の装置を用いて、この問題を解決することが提案されてきた。しかし、これらの装置は引き込み可能な針を有さない。従って、シリンジは再使用できないが、針が刺す可能性を残した状態で針は露出状態を保つ。なぜなら、プランジャは２度の引き出しはできないからである。プランジャハンドルをロックするが引き込まないシリンジの例は、Freeらの米国特許5,000,737号「１回使用使い捨てのシリンジ」、Allisonらの米国特許5,205,825号「プラスチックシリンジの再使用を防ぐ挿入可能な要素」、Kosinskiの米国特許4,973,310号「１回使用シリンジ」、Kosinskiの米国特許4,961,728号「誤使用を防ぐ特徴を有する１回使用シリンジ」、Shonfeldらの米国特許5,531,691号「１回使用のシリンジアセンブリー」、及びShonfeldらの米国特許5,562,623号「バネクリップロック及びプランジャを含む１回使用のシリンジアセンブリー」である。これらの特許の開示は、引用を持って本願の一部とする。
【０００４】
上記の１回使用シリンジは、１回注入後は再使用できない、しかし、汚染された針は未だ延びており、覆われるか、取り除かれるか、さもなくばシリンジが安全に放棄される前に処分されなければならない。このようにして、使用後はシリンジバレル内に引っ込む針を具え、針が引っ込もうと引っ込まなかろうと、再使用できない改善された１回使用のシリンジへのニーズがある。
【発明の開示】
【０００５】
発明の要旨
本発明は、針保持筒を動かすハンドルを有する１回使用の引き込み式シリンジであり、ハンドルはシリンジバレルから取り外すことができない。引き込み式の特徴は、注入がされた後に、露出した針に関係する危険を未然に防ぐことである。ポジティブなロック構造は、シリンジが当に１回使用のシリンジであって、再使用できないことを確実にする。種々の実施例に於いて、ハンドル部と針保持筒とを具える可動部分は、シリンジを流体にて充填するハンドルの１回の後方移動及びシリンジから流体を放出するハンドルの１回の前方移動の後は、後方への移動を規制され、シリンジ内に収納される。本発明は、１回使用後はシリンジを引き込むことを提案しており、引き込み可能なシリンジが再使用される虞れを除去するのに役立つ、なぜなら作業者は引き込み機構を作動させるかどうかを選択し、又は作動させることを怠り、それによって２回目の使用のために針を露出したままにするからである。これは起こり得ない、なぜならポジティブなロック構造は、針保持筒の取り外しを阻止することにより、針保持筒が取り外されることを阻止するからである。針保持筒は、引き込み機構が作動しようと、作動しまいと、及び針が引き込まれようと、引き込まれまいと、バレルに保持される。これは、本発明の利点は、バレルの前端に針が固定される引き込み式でないシリンジにも適用できることを意味し、これはここに開示された本発明の他の特徴であると考えられる。引き込み式でないシリンジについては、本発明は同様に働き、バレルからハンドル(プランジャ)が引き出されることを制限し、又は阻止する。ハンドルが２回目に引き戻されることができなければ、シリンジは流体にて再充填され得ない。
【０００６】
前端及び開口した後端を有する長く延びた中空のシリンジバレルは、シリンジバレルの前端に位置する引き込み構造内に引き込み可能に取り付けられ、後方軸方向に引き込むように付勢されている引き込み可能な針を有するのが好ましい。針保持筒に取り付けられるハンドルを具える可動部分は、バレル内にて通常のシリンジプランジャの機能を果たす。針保持筒の前端部は、スライド時にバレルの内面に密接するように取り付けられたピストンを有する。可動部分は、バレルの後部開口から延びるハンドルによって動かされる。ハンドル部の後端部は、ハンドルに親指の力を加える為のキャップを有する。針保持筒は、開き可能な封止開口を前に有して、患者への注入中に流体が放出した後に、プランジャを前に動かすことにより引き込み機構が作動したときに、引き込まれた針を針保持筒内に受け入れる。針の針保持筒内への引き込みは、注入完了後にハンドルの動きに対応して引き込み構造に対して針保持筒を前に動かすことにより開始する。
【０００７】
ポジティブなロック構造は、シリンジバレル内に位置して、針保持筒の後方への移動を規制し、１回使用後にシリンジバレルから針保持筒が取り外されることを阻止する。ポジティブなロック構造は、可動部分が後方へ１回、及び前方へ１回、そして前方へ最大量移動するのに影響を与えないのに適しているが、その後の針保持筒の後方への移動は制限されて、針保持筒をシリンジバレル内に維持する。
【０００８】
第１実施例に於いては、ポジティブなロック構造は、バレル内の固定位置に固定される。ロック構造は、第１ストッパを構成するバレル半径方向のくびれを具え、一方、針保持筒は第２ストッパを構成する半径方向に膨らんだ部分を有し、ハンドルを押すことにより、第２ストッパは第１ストッパを通って前に押し付けられる、しかし、第２ストッパはハンドルを引くことにより生じる後方への動きには抵抗する。更に、第１実施例は、針保持筒に取り外し可能に取り付けられ、第１ストッパを通って第２ストッパを後方に押し付けるのに要する力よりも小さな分離力にて針保持筒から分離できるハンドル部を有する。ハンドルは、分離部分を壊すことなく、該分離部分を取り外すことにより針保持筒から分離できるのが好ましい。
【０００９】
更に、第１実施例は、前端部に留めを有するのが好ましく、留めは第２ストッパが第１ストッパを通過して動く前に、ハンドルを押すことにより第１ストッパを通って前に押し付けられる。第２ストッパが第１ストッパを通って前進しない限り、ハンドルは引き出されてシリンジを充填する。針保持筒の前端部上の留めは、可動部分の後方への移動量を制限して、シリンジの最大充填量を定める。留めは第１ストッパに接する。しかし、プランジャが押圧されて注入されるときに、針保持筒の後部の第２ストッパ、又は針保持筒上の幾つかの中間位置は、第１ストッパを通って動き、それによってハンドルが後方に引かれたときに、２つのハンドル部分が分離するとの前述した限定された特徴を付与する。バレル内の第１ストッパを越えて、ハンドルが全ての留めとともに一旦前に押されると、シリンジは空になり、ハンドルを更に前に動かすと、引き込み機構が作動する。
【００１０】
本発明の第２実施例は、長く延びた中空のシリンジバレルを具え、シリンジバレルの前端部に位置する引き込み構造内にて引き込み可能に取り付けられ、引き込むために後方に付勢された引き込み可能な針を有する。シリンジバレル内には可動ハンドルがあり、該可動ハンドルはスライド時にバレル内面に密接するピストンを有する前端部と、ハンドルへ親指の力を加える為のキャップを後部に有する後端部と、ハンドルの前端部内にて引き込み可能な針を受け入れる針保持筒を具える。第２実施例に於いて、ポジティブなロック構造は、尚、シリンジバレル内に位置する。ロック構造は、ハンドルの後方への移動を制限し、１回使用後にシリンジバレルからハンドルが取り外されることを阻止する。しかし、第２実施例にあっては、ロック構造はバレルに対して移動する。
【００１１】
ハンドルは、ロック構造を運び、該ロック構造はハンドルの後部近傍の第１位置から、ハンドルの前部に一層近い第２位置へ一方向にのみ移動可能である。ロック構造は、第１位置の前に動かされた後に、シリンジバレルに積極的に係合し、針保持筒の後方への移動を制限するのに適している。針保持筒は、ロック構造の第２位置の直ぐ前に位置するのが好ましい。ハンドルは、複数の階段状の鋸歯を有するのが好ましく、ポジティブなロック構造は、階段状の鋸歯に対して内向きに傾いたタブを有するクリップであるのが好ましく、鋸歯はクリップが後方に移動するのを阻止する一方、クリップがハンドル上を前方に動くことを許す。
クリップは外向きに傾いた少なくとも１つの尖点を有し、該尖点はシリンジバレルに係合して、ハンドルが引き出されることを阻止する。尖点は単にハンドルの表面に沿ってスライドする、なぜなら尖点は後方に傾いているが、尖点をバレル内面に埋め込ませるハンドルの後方移動を阻止するからである。クリップは、半円形よりも稍延びた形状をしているバレルの後端部の階段状の鋸歯の全てではないが、一部を囲むのが好ましい。
【００１２】
本発明の第３実施例は、ポジティブなロック構造が異なることを除き、第１及び第２実施例のシリンジの他の全ての特徴を含む。第３実施例にあっては、ハンドルの後方移動を規制する為のポジティブなロック構造は、シリンジバレル内に位置して、バレルに対して固定位置にある。もっと詳しく述べると、該ロック構造はバレルの後部開口の内側に配置されている。バレルに対して固定位置にあるバレルの後部開口の内側に取り付けられたロック構造は、バネクリップであるのが好ましく、該バネクリップは１又は２以上の傾いた尖点を有し、該尖点は、バレルに流体を引き入れるべくハンドルが最初に移動する間に、ハンドルによって運ばれるスライディングカラーによってハンドルに接しないように保護される。これにより、バネクリップの尖点をハンドルに係合させることなく、バレルに対する最初の前位置からハンドルを後方に１回引くことができる。プランジャが前方に押圧されると、スライディングカラーはバネクリップの尖点との接触を離れて、前に動き、直ぐにバネクリップはハンドルに係合してハンドルの引き出しを阻止する。
第３実施例に於いて、ハンドルの後端部は、第２実施例と同様の、複数の階段状の鋸歯を有し、その上にハンドルによって運ばれるスライディングカラーがある。スライディングカラーは傾斜面を有し、該傾斜面はプランジャハンドルがカラーに対して後方に移動することを許すが、カラーは階段状の鋸歯の縁を捉える留めを有し、留めは鋸歯をハンドルとともに前進させ、バネクリップから離れさせる。ハンドルが前進する際には、バネクリップは邪魔することなく、単に鋸歯に乗るが、ハンドルが後方に動くと直ぐに、歯はハンドルに埋まり、ハンドルの如何なる後方移動も止める。針保持筒の後部上の停止面は、ハンドルが最大量まで引き戻された後に、カラーに接してハンドルの更なる引き出しを阻止する。カラーはバレル内で捉えられる。
【００１３】
シリンジの前方の引き込み構造内に取り付けられた引き込み可能な針と組み合わせたときに、本発明は最も効果的であるが、本発明は本来１回使用の問題に関し、故に引き込み可能に取り付けられた針を具えたシリンジと同様に、針が固定されたシリンジにも適用可能である。
【００１４】
本発明の詳細な記載
以下の記載では、同様の部品は同じ符号にて言及される。図示される部品は、現実には、円形又は円筒状であることが好ましい。
【００１５】
第１実施例の１回使用の引き込み可能なシリンジは、米国特許5,632,733号の図１−図３に開示された引き込み可能シリンジを修正したものと関連して、図１−図７に開示されている。好ましい引き込み可能シリンジの詳細は、ここでの従来技術の背景に挙げられた他の引用例と同様に、上記引用例内に見ることができるが、その主たる特性は、本発明に関連してここで簡潔に記載する。本発明は、シリンジが最初の使用後、引き込まれなくとも再使用を防ぐプランジャハンドルの積極的なロックを提供する。本発明が特殊な引き込み装置又は構造に限定されず、他の引き込み可能な針を設けた装置、特に注入完了後、プランジャハンドルを前方に押すことによって作動する装置にも用いられることが理解されるだろう。
針を後方に引き、プランジャの開口内に引き込む多数の装置がある。例えば、Toftの米国特許5,407,436号、又はPressly,Srの米国特許5,713,952号は、本発明を用いて改善されるかもしれない。後者の場合、プランジャハンドルは２度目の使用を阻止する特徴を有しているが、それはシリンジが実際に引き込まれたときのみ機能する。
【００１６】
本発明の１回使用の引き込み可能シリンジは、図１の符号(10)によって概ね示される。シリンジ(10)は、前端部(14)と後端部(16)を有する細長い中空のシリンジバレル(12)を具える。引き込み可能な針(18)は、引き込み構造(20)内に引き込み可能に取り付けられ、該構造は前部に肩を有する細長い針ホルダ(22)を具え、該ホルダは、前部に前端部(14)の前面開口に当たって前方への動きが阻止される。針ホルダの小さな部分は、図１のバレルを越えて前方に延びることが示されている。分離可能な保持部材(26)は、環状の構造であって、保持部材(26)の拡大頭部(30)のあるインターフェイス(28)に沿って分離可能で摩擦を持って係合する。インターフェイスは、引き込み方向に向けられている。保持部材(26)は針ホルダ(20)の頭部(30)と一緒に、前端部(14)の内壁(32)に圧入されるのが好ましく、該圧入箇所でそれらは圧縮バネ(34)にて加えられる引き込み力に抗して保持される。バネ(34)は一端部が前端部(34)の出張り上に位置し、及び後端部が取り外し可能な保持部材(26)を押すことなく、針ホルダ(22)の頭部(30)の下側を押す。針(18)は、粘着剤(36)によって針ホルダ(22)に固定される。
【００１７】
シリンジは、可動部品によって作動され、該可動部品は係合接続(42)によって針保持筒(40)に取り外し可能に取り付けられるハンドル(38)を具え、係合接続(42)はハンドル(38)の前端部(44)を針保持筒(40)の後端にパチンと嵌めて(snup fit)構成するのが好ましい。ハンドル(38)は、図２に示されるように、ガイド条(78)と親指キャップ(70)を具えたコア(76)を有するのが好ましい。指グリップ(80)は親指キャップ(70)と関連して作動し、片手での操作を可能にする。図７に示されるように、ハンドル(38)の前部(44)は溝(46)を有し、該溝は針保持筒(40)の後端部で１又は複数の突起(48)と取り外し可能に結合して、係合接続(42)を構成する。針保持筒(40)からハンドル部(38)を外すのに必要な力の総量は、針保持筒を引いてバレル内のストッパ(stop)を通過するのに必要な力より小さい。ハンドルは針保持筒から分離して、針保持筒をバレル内に残す。
【００１８】
可動部品(38)(40)は、バレル(12)内を往復する為に取り付けられた可動プランジャとして一緒に作動し、スライド時にバレル(12)内面に密接するピストンシールを具える。針保持筒(40)は、ピストンシール(52)がその上に取り付けられた前端部(50)を有する。シール(52)はスライド時にバレル(12)の内面(54)に密接し、それによって針保持筒(40)の前端部(50)の下方に、可変の流体室(56)を造る。針保持筒は、取り外し可能なプラグ部材、又は他のシール(60)によって塞がれる開口を前端部に有しており、プラグ部材又は他のシールは、開口内に摩擦係合によって保持されるのが好ましい。
【００１９】
針保持筒(40)は、引き込まれた針及び取り外し可能なプラグ部材(60)を保持する保持空間(58)を有し、プラグ部材はスライドして室(58)の開口を塞ぐ。前端部(50)の前端には、突端(62)を有し、該突端は保持部材(26)に接して保持部材(26)を頭部(30)から前端部(14)内の頭部(30)の下方にある空間(64)内へ動かすのに役立つ。これは、図４に示すように、”注入完了位置”からハンドル(可動部品)を押圧することにより、自動的になされる。図４の可動部品の位置から、ハンドルを更に押圧すると、リング状の保持部材が取り外され、プラグ部材(60)が取り外され、それによって図６に示すように、保持空間(58)を開き、針(18)を解放して空間(58)内へ引き込ませる。
これまで記載されてきた構造は、針刺しを防ぎ、容易に再使用できない針引き込みシリンジを提供する。なぜなら引き込み後は、部品は互いにバラバラになり、親指キャップはバレル(12)の後部(16)の開口内に密に受け入れられるからである。本発明は、更になお、シリンジが引き込まれると、針又は他の部品に近づくことを不可能にし、シリンジが引き込まれない構造の場合には、再充填されることを防ぐ。
【００２０】
シリンジバレル(12)の内面(54)の最も重要なのは、ポジティブなロック構造(66)を配備したことであり、ロック構造は１又は複数の半径方向内向きに突出したくびれ(constriction)を具え、針保持筒(40)が後方へ動くことを規制し、１回使用後に針保持筒がシリンジバレルから除去されることを防ぐように造られている。
針保持筒(40)は、拡大後端(68)を有してシリンジバレル内側のポジティブなロック構造(66)と協働するのが好ましい。その隙間は、親指キャップ(70)上の親指の力により、針保持筒がロック構造(66)を通り過ぎて強制的に前に押されるようになる程度の隙間である。しかし、一旦シリンジハンドル(38)(40)が前に押されて、針保持筒(40)の後端(68)がくびれ(66)を通ると、この横切り動作を逆方向に如何に試みても、それはできない、なぜなら図５及び図７に示すように、ハンドル部(38)は針保持筒(40)から分離するからである。
【００２１】
図１は、充填待機位置にあるシリンジの位置を示している。ハンドル(38)(40)は押圧されて、針保持筒の後端を、第１ストッパ(66)と呼ばれるであろう箇所、即ちバレル内側の固定位置にてバレル直径のくびれを具える箇所に接するまで押し込み移動させる。針保持筒(40)の後端(68)には、著しい力が加わらない限り、第１ストッパと協働して可動部分の更なる前進を規制する、第２ストッパと呼ばれる箇所を具えるのが好ましい。第２ストッパは図１に示されるように、針保持筒の後部にて最も適切な位置にて円筒状の針保持筒が直径方向に膨らんだものであるのが好ましい。しかし、直径方向に膨らんだ箇所は、寸法的な要求によって、針保持筒の後端から前方に動かすことができる。
針保持筒にて直径方向に膨らんだ箇所が異なる位置にある理由は、充填ストロークを変えて、異なる投薬量に応じて異なる充填量とする為である。第１及び第２ストッパ(66)(68)は、ポジティブなロック構造を構成する。充填待機位置にある可変の流体室(56)はむしろ大きく見えるけれども、それはシリンジ最大量に対する比較的小さな部分でしかなく、１cc又は１／２ccのシリンジに対しては、絶対的に(absolute terms)非常に小さい。
図から判るように、ストッパ(66)の位置、針保持筒(40)及びバレル(12)の長さ、直径により、充填量が決定される。針保持筒(40)は、針(18)全体を受け入れる大きさに作られ、位置決めされ、尖った先端は引き込みの後には、露出しない。
【００２２】
図３は、充填工程の次のステップを示し、それによって針保持筒(40)上の前端の留め(72)が第１ストッパ(66)で留まるまで、ユーザはシリンジハンドルを自由に後方に引くことができる。これによってユーザは、シリンジが注入流体が十分に充填されたことを示す触感を感じる。
【００２３】
図４は、シリンジ動作の次の工程を示し、該工程では針は患者(図示せず)の中に挿入され、プランジャは注入完了位置にまで押圧される。ここで、針保持筒(40)の前端部は、突端(62)が前進することにより、プラグ部材(60)を針保持筒(40)の開口から除去し始め、引き込み構造(20)の針ホルダ(22)のヘッド(30)から保持部材(26)を滑らせて、離し始めることができるような位置にある。これは、親指キャップ(70)がバレル(12)の拡大後端(16)内の開口(74)内に密に受け入れられるまで、親指キャップ(70)を押すことにより達成される。図６の針引き込み位置になり、該位置では引き込み可能な針は、プラグ部材と一緒に針保持筒内に引き込まれる。親指キャップ(70)は開口(74)内に受け入れられる。この位置にて、針は安全に引き込まれ、ハンドルはきちんとシリンジバレルの後部開口に押し込まれて、再使用を防ぐ。
【００２４】
しかし、図４の位置に達した後に、ユーザがシリンジを引き込むことを拒絶すれば、図６に進まず、むしろ図５に進む。図５は、ハンドル部(38)を引くことにより可動部品を除去しようとしても、針保持筒(40)の後部に位置することが好ましい第２ストッパ(68)が、単に第１ストッパ(66)に接するにすぎない結果になることを示しており、第１ストッパ(66)からそれ以上進めない。ハンドル部(38)は、係合接続(42)を解除しても、単に針保持筒(40)から離れるだけであり、シリンジ内の内部部品に触れることはできない。ハンドル(38)の前部(44)の溝(46)は、突起(68)から離れる。解除中に部品の僅かな歪みが発生するかも知れない。図４及び図５に示すように、ハンドル部(38)がバレル内の後部に再度挿入されたとしても、可変室内には、シリンジを再使用するには不十分な充填容積しか形成されていない。
【００２５】
図５Ａは、図５に示す破断線間に於ける、図５の中間部の拡大図である。ここで、留め(72)はより詳細に示され、前端部(50)上の環状の歯形をした半径方向の突起であるのが好ましい。針保持筒(40)の後端部(68)は、第１ストッパ(66)に当たる縁を有する、直径方向に膨らんだ表面(82)を有している。爪突起(48)が針保持筒(40)の後端に示されており、これは除去されたハンドル部(38)の図５に示す溝(46)に嵌まる。
図５Ｂは、第１ストッパ(66)がバレル(12)の内部直径の周りで連続したくびれとなっていることを示す断面図である。図５Ｃは、第１ストッパ(66)が複数の膨らんだ領域、又は半径方向内向きに突出した部分であって、針保持筒(40)の後端(68)に接してロックする位置にあることを示しており、このようにして、針保持筒(40)がハンドル(38)によって除去されることを防止している。同様に、ストッパ(66)が繋がっているなら、第２のストッパ(68)を構成する針保持筒(40)の後端は、繋がっていない。一方又は他方は連続的であるべきであり、ハンドルによってバレルから針保持筒が引き出されることができるためには、針保持筒の角度の向きに条件はない。
【００２６】
図５Ｄは、針保持筒(40)の後端が図５Ｄの直線状の後端部(68')のように変更され得ることを示し、ストッパ(66)にて生じるように、くびれ内の開口を通って嵌合する大きさに作られる。或いは、針保持筒(40)の外側の直径方向の膨らみ部(69)を軸方向に異なった位置に形成して、それに対してポジティブなストッパ(66)が働く当り部にしてもよい。
直径方向の膨らみ部(69)は、第１ストッパ(66)と協働して針保持筒の後方への動きを規制する第２ストッパと考えられ得る。第２ストッパ(69)は、親指キャップ(70)に加えられた力に応じて前方に動くときに、くびれの開口を通って押しつけられる点で、以前の図面の針保持筒(40)の拡大された後端部(68)とまさに同様な作動をする。ユーザがその後、ハンドルを後方に引いたとき、直径方向の膨らみ部(69)は、くびれ(66)に接して、針保持筒(40)からハンドル(38)を分離するのに要する力よりも大きな引く力を要求する。
これが単にバレルに対してハンドルの別の動きを付与する他の方法であり、これは特定のシリンジのストロークを設定して、所望の投与量を供給するのに有用である。
【００２７】
図８−図１４は、以前の図面に開示された好ましい引き込み機構を有する１回使用の引き込み可能なシリンジの第２実施例を示し、同じ符号が付される。これまでの開示からの変更箇所は、ダッシュを用いて示される。第２実施例のシリンジは、概ね符号(10')で示される。引き込み可能なシリンジ(10')は、第１実施例の引き込み可能に取り付けられた針(18)及び引き込み構造と全く同じものを有している。第１実施例とは異なるシリンジバレル(12')を有しており、それは同じポジティブなロック構造は有さず、拡大された後端部(16)は有さない。シリンジバレル(12')は、前端部(14)及び後部開口(84)を有している。可動ハンドルは、シリンジバレル(12')内に往復可能に取り付けられ、シリンジバレルはハンドル部(38')に取り付けられた針保持筒(40')を具える。可動ハンドルの前端部(50)は、既に述べた第１実施例と同じピストンシール(52)及びスライド可能に取り外されるプラグ部材(60)を含む。可動ハンドルの後端部は、キャップ部材(86)を有し、キャップ部材は親指の力をハンドルに加える為の親指キャップをハンドルの後端部に具えている。針保持筒(40')はハンドル部(38')に取り付けられ、又は製造の為のみであるが、取り外し可能に取り付けられる。可動部材のこれら２つの部分が別々に製造されたなら、それらは溶接、接着、又は他の永久的な固定法のような方法で結合され、或いは好ましくは１つの可動ハンドルとして成形される。
【００２８】
第２実施例は、図９に示すように、ポジティブなロック構造が金属クリップ(88)であることが好ましい点で、第１実施例と異なる。クリップ(88)は、本体(94)上にタブ(90)及び１又は２以上の対のロック歯(92)を有する。タブ(90)は僅かに内向きに曲がっていて、これは針保持筒(40')の後方で可動部品のハンドル部に沿って延びている複数の階段状の鋸歯(96)と協働している。
【００２９】
図８は、第２実施例の１回使用の引き込み可能シリンジのスタート位置を示している。スタート位置に於いて、可動ハンドルはシリンジ本体内で十分前方に押されて、引き込みを起こすことなく、引き込み機構(20)に軽く接する。これは作業者が針ホルダ頭部(30)に対してプラグ部材(60)を接触させる作業者の触感によって容易になされる。ポジティブなロック構造(88)は、ハンドル部(38')によって運ばれ、図８に示す第１位置(98)から第２位置(100)に移動可能である。これはシリンジバレルに対して可動ハンドルを後方に引く簡単な措置によってなされる。クリップ(88)を具えるポジティブなロック構造は、ハンドルの後部近傍の第１位置から、ハンドルの前部により近い第２位置へ一方向にのみ移動可能である。ロック歯(92)の尖点は、クリップをハンドルとともに後方に動かそうとすれば、バレル(12')の内面(102)に係合するように設計されている。ロック歯(92)の尖点は後方を向けているから、クリップがバレル内で前進すると、尖点は内面(102)に沿って自由にスライドする。ハンドルがクリップ(88)に対して後方に動くと、タブ(90)は鋸歯(96)の縁を越え、ハンドルが後方に引かれると、階段状の鋸歯は単にクリップに対してスライドし、クリップは図８に示す第１位置(98)から図１０の第２位置(100)に位置することができる。図１０は、流体の最大量が針(18)を通って流体室(56)内に引かれた後の、クリップ(88)に対するハンドルの位置を示している。針保持筒(40')はクリップ(88)の第２位置の直ぐ前に位置する。このようにして、クリップがロック構造を構成することが判る。
【００３０】
図１１は、全ての流体が可変流体室(56)から放出された後の、注入完了位置に於ける可動ハンドルの位置を示している。内向きに曲がったクリップ(88)のタブ(90)が、鋸歯(96)の縁を掴み、可動ハンドル(38')(40')とともに前方に動くのが判るだろう。後方に傾いたロック歯(92)の尖点は、可動ハンドルの前進を邪魔することなく、単にシリンジバレル(12')の内面に沿ってスライドする。
【００３１】
図１２は、第２実施例のシリンジ(10')が、単に親指キャップ(86)を押して、可動ハンドルを図１１の注入完了位置から図１２の引き込まれた位置に移動させるだけで、どのようにして針を抜かせるかを示している。保持リング(26)は、突端(62)によって針ホルダ(22)の頭部(30)から空間(64)中へ除去され、プラグ部材が針保持筒(40')の前端部から除去されると、バネ(34)によりバネ付勢された針ホルダと針は、後方に移動して、室内に引き込まれ、そこで保持されることが判るだろう。突端点を含む針全体がバレル(12')内に引き込まれるように、部品のサイズが決定される。これまで記載されてきたことは、バレルの内側に位置するロック構造であり、該ロック構造は可動ハンドルの後方移動及び前方移動に何の影響も与えない。
しかし、ポジティブなロック構造のクリップ(88)は、図１２に示す第２位置に配置されている。針保持筒の後方へ向かういかなる逆移動も、クリップ(88)によって制限される、なぜならスライド可能なロック歯(92)の尖点はバレル(12')の内面内に掘り込むように位置し、それによって、クリップ(88)のボトムが針保持筒(40')の後端(104)と接することにより、ハンドルの後方移動を規制する。クリップが後方に動くことができず、針保持筒(40')の後方移動を阻止しているから、ハンドルは１回使用の後にシリンジから除去できないことが判るだろう。図１１と図１２のクリップの位置を比較することにより、シリンジが引き込まれるか、引き込まれないかに関係なく、可動ハンドルは依然として除去できないことが判る。従って、ハンドルは１回使用の後に、シリンジ内に積極的にロックされる。従来技術の背景で述べられたShonfeldその他による米国特許5,531,691号、及び米国特許5,562,623号にて説明されているように、充填量は、ハンドル部(38')に対するクリップ(88)の初期位置に基づいて調整されることは明らかである。
【００３２】
図１３及び図１４は、夫々図１１及び図１２に対応している。シリンジ(10'')は図１１及び図１２のシリンジ(10')とは、ハンドル(38'')が取り外し可能接続(106)によって、針保持筒(40'')に取り外し可能に接続される点のみ異なる。針保持筒(40'')の後端部は、環状溝であることが好ましい溝(108)を有し、ハンドル部(38'')の前端は、好ましくは環状の半径方向の突出部(110)を有し、突出部はハンドル部(38'')の前端部に固定された隆起領域の形をして、溝(108)に嵌合する。取り外し可能接続(106)は、ハンドル部(38'')及び針保持筒(40'')を具える可動部分を、２つの部分構造にし、該２つの部分構造は成形及び組立を容易にし、他の取り外し可能な部分が標準サイズのままであっても、部分の１つを交換することができる。例えば、ハンドル部を長く又は短くでき、同じ針保持筒とともに用いることができ、又は標準的なハンドル部(38'')を用いていても、針保持筒の長さを変えることができる。針保持筒を変える理由の１つは、異なる長さの針を使用することである。それはまた、最大投与量を変える為に、ストロークを変えるもう１つの方法である。バレルの長さは変えられる、しかし、バレルの長さは重要ではない、なぜならクリップ(88)は、図８−図１２について前述したように、正確に同様に作動し、最初の注入がされた後に、ハンドル(38'')及び針保持筒(40'')が引き出されることを規制するからである。ハンドルは引き込み機構(20)が作動しても、しなくても、引き出されることが規制される。
【００３３】
図１５−図１９は、シリンジ(11)に言及する本発明の第３実施例を示している。シリンジ(11)は、以下に列挙する幾つかの例外をも具えた図１−図７の引き込まれるシリンジであるのが好ましい。図１５−図１９に示されない部分は、針保持筒の後端に至るまでは、第１実施例のそれらと同様であると考えられる。バレル(12)の後端部(112)は、図１６に示すバネクリップ構造(114)を受け入れるべく変更されている。
バレルは指グリップ(80)の後ろに拡大後端を有し、第１実施例の後端(16)に酷似している。バレルは尚、ハンドル(116)の後部に親指キャップ(70)を受け容れる開口(74)を有しているが、開口(74)の直ぐ前に締付け突合せ面(118)を有している。突合せ面(118)はバレル(12)の拡大後端部(112)の周りに溝(120)を形成し、バネクリップ(114)は溝内でバレルに対する固定位置に受け入れられている。示されるように、バネクリップ(114)はバレルの内側に位置する構造を具え、シリンジの１回使用の後で、針保持筒が後方に更に動くことを規制する。
【００３４】
ハンドル(116)は、針保持筒(122)(図１７)の後ろに延び、第２実施例の階段状の鋸歯(96)に近似した複数の階段状の鋸歯(124)によって、長手方向に沿って鋸状になっている(serrated)。カラー(126)の形をしたスライドする部分は、ハンドル(116)によって運ばれる。カラー(126)はどの階段状の鋸歯(124)をも捕捉するのに適した留め(128)を含む。それは、環状部分又は分断した環状部分で、カラーをハンドル上に取り付けるのに役立つ。親指キャップ(70)は、カラーがハンドル(116)上のシャフトに取り付けられた後に、所定位置に取り付けられて固定され、即ちハンドルは２つの部分となる。
【００３５】
バネクリップ(114)は、環状の本体(132)、及び環状の本体を軽く押圧して、当り面(118)を通って溝(120)内に挿入されることを許すギャップ(134)を有するのが好ましい。バネクリップ(114)は、図１５に示されるように、スライディングカラー(126)の後端部によって最初はハンドルから離れている複数のバネ歯(136)を有する。これがハンドルの初期位置であり、図１又は図８の開始位置に対応している。バレル(12)内の僅かなくびれ(138)により、ハンドル(116)が図１７の位置に引き戻されたときに、カラー(126)が後方に移動することが阻止される。それによって、図３のように、流体を可変流体室(116)(図示せず)内に引き込む。鋸歯及び留めは図示のために、図面にて稍誇張しているが、ハンドルが難なく図１７の注入待機位置に引き戻されることを許す。これはハンドル(116)及び針保持筒(122)の最初の引き込みを表している。針保持筒(122)の後端は、図１７に示すように、ハンドルが一杯に引き込まれたときに、カラー(126)に対向する(come up)停止面(140)を有する。カラー(126)はなお、バネ歯(136)が図１７のハンドルに接しないように維持している。
【００３６】
図１８は、シリンジ(11)のハンドル(116)が、キャップ(70)上に親指の力が加わったことに応じて前進を開始するときに、図１７の位置から図１８の位置及び最終的には図１９の位置まで、なにが起こるかを示す。起こるのは、スライド部分の留め(128)又はカラー(126)が階段状の鋸歯(124)上の縁(130)を捕らえ、バネクリップ(114)から前進することである。これにより、ハンドル(116)が前進する際に、バネ歯(136)は、階段状の鋸歯(124)を乗り越えることができる。これは図１９の位置に達するまで続く。
【００３７】
図１９は、注入完了位置を示しており、他の部分は図４又は図１３の位置に対応している。図１に似た針保持筒(50)の前端部は、シリンジの前にある引き込み機構(20)に達し、流体は針(18)を通って放出される。バネ歯は、ハンドル(116)の後部に位置する溝(142)内にある。しかし、なお階段状の鋸歯(124)に対してバネ歯(136)は鋭角をなし、図１８の位置又は図１５及び図１９の位置間のどの位置からも、ハンドル(116)を引くことができないと理解されるべきである、なぜならバネ歯は、何れかの階段状の鋸歯に埋まり、ハンドルをバレル内に詰め込む(jam)からである。従って、バネクリップ(114)は、バレルの内側に位置し、可動部分と係合するポジティブなロック構造を固定位置に配備し、該バネクリップは、可動部分(ハンドル及び針保持筒)が前方移動の最大限度にまで、後方一方向及び前方一方向に移動するのに影響を与えない、しかし、針保持筒の更なる後方への動きは制限されて、針保持筒をシリンジバレル内に保つ、なぜならハンドルは２回引き戻すことはできないからである。
【００３８】
最終的に、図１９に示す注入完了位置の後に、図１９の位置から親指キャップ(70)を最後に前方に押すと、図６、図１２及び図１４に示すように、ハンドルの動きによって引き込み可能部分が引き込み動作をする。針は針保持筒(122)に引き込まれて、バレル内に収納される。このようにして、引き込まれたプランジャ及び引き込み機構は、３つの実施例全てについて同じであり、針保持筒の後方移動を規制すべく配備された異なるポジティブなロック機構を具えている。
【００３９】
最良の実施形態では、部品は従来とおりの注入成形可能なプラスチック、通常はポリプロピレンから作られる。ピストンシールは従来からのものであり、クリップは金属であるのが好ましい。
【００４０】
本発明の実施例を図面とともに説明したが、本発明はこれらの明確な実施例に限定されず、種々の変更及び修正が本発明の思想の範囲から離れることなく、当業者によって達成されることが理解されるだろう。
【図面の簡単な説明】
【００４１】
【図１】針保持筒及び充填待機位置にて示される分離可能なハンドルを有する本発明の第１実施例の縦断面図である。
【図２】第１実施例のハンドル及び親指キャップの図１の線２−２に沿った断面図である。
【図３】図１の第１実施例の縦断面図であり、プランジャが最大充填位置にて停止するまで引き戻されている。
【図４】ハンドルが注入位置の端部にまで押圧された後の前記図面のシリンジの縦断面図である。
【図５】前記図面のシリンジの縦断面図であり、引き込みを開始せずに、ハンドルが図４の位置から図５の位置へ引き戻されたときのハンドル解除状態を示す。
【図５Ａ】図５に示す第１実施例の中間部分の拡大縦断面図であり、引き込みが生じる前の図５の位置にある針保持筒及びプランジャシールを示す。
【図５Ｂ】図５の線５Ｂ−５Ｂに沿うバレル内のストッパを示す。
【図５Ｃ】図５Ｂのストッパの別の形であり、ストッパは１又は２以上の半径方向の一組の突起である。
【図５Ｄ】図５Ｂ及び図５Ｃのストッパの別の位置であり、シリンジのストロークを設定するのに役立つ。
【図６】前記図面のシリンジの縦断面図であり、針が針保持筒内に引き込まれ、親指キャップがシリンジバレル後部の開口内に捕らえられた状態で、ハンドルは前進完了位置にある。
【図７】図６の縦断面図であり、針が引き込まれた後にハンドルが引き戻されたときに、ハンドルがどのように図６のシリンジ内の針保持筒から分離するかを示している。
【図８】本発明の第２実施例の縦断面図であり、引き込み可能に取り付けられた針、針保持筒、複数の階段状の鋸歯を有する階段状のハンドル、及びハンドル後部近傍の第１位置に示されるクリップを具えたポジティブロック構造を有する。
【図９】図８−図１４に示すクリップの例示的な仕様の斜視図である。
【図１０】図８のシリンジの縦断面図であり、ハンドルは引き戻されて流体をシリンジ内に引き込み、それによってクリップをハンドル前部へ一層近い第２位置に動かす。
【図１１】図８及び図１０の１回使用の引き込み可能なシリンジの縦断面図であり、ハンドルは十分前に押されて、注入を完了する。
【図１２】図１１のシリンジの縦断面図であり、ハンドルは十分な注入位置を越えた最大限度まで前に押されて、針を針保持筒に引き込む。
【図１３】本発明の第２実施例の別の構造の縦断面図であり、ハンドルは第１実施例と同様に、プランジャが注入完了位置にある状態で、針保持筒の後部に分離可能に取り付けられる。
【図１４】図１３のシリンジであり、プランジャは図１３の位置から更に前に押されて、針を針保持筒内に引き込む。
【図１５】本発明の第３実施例の縦断面図であり、前記図面と同じ引き込み可能な針及び針保持筒を有するが、ハンドルが一度引き戻されて、シリンジを充填することを許す異なるポジティブロック構造を示している。
【図１６】図１５のバネクリップの斜視図であり、好ましい複数のバネ尖点を示す。
【図１７】図１０の実施例の位置に対応した位置にまでハンドルが引き戻された後の、図１５の第３実施例の縦断面図である。
【図１８】注入中にハンドルが前進すると、どのようにして、直ちにバネクリップが解放されてハンドルと係合し、それによって、ハンドルの著しい後方移動を防ぐかを示す縦断面図である。
【図１９】ハンドルが前方に押されて注入完了位置に達した後の図１８に示す第３実施例のシリンジの縦断面図である。
【図１】
2005524513.tif 000003
【図２】
2005524513.tif 000004
【図３】
2005524513.tif 000005
【図４】
2005524513.tif 000006
【図５】
2005524513.tif 000007
2005524513.tif 000008
【図６】
2005524513.tif 000009
【図７】
2005524513.tif 000010
【図８】
2005524513.tif 000011
【図９】
2005524513.tif 000012
【図１０】
2005524513.tif 000013
【図１１】
2005524513.tif 000014
【図１２】
2005524513.tif 000015
【図１３】
2005524513.tif 000016
【図１４】
2005524513.tif 000017
【図１５】
2005524513.tif 000018
【図１６】
2005524513.tif 000019
【図１７】
2005524513.tif 000020
【図１８】
2005524513.tif 000021
【図１９】
2005524513.tif 000022
【国際調査報告】
2005524513.tif 000023